(57)【要約】【課題】複数のネットワークを有するネットワーク環境において、ネットワーク選択を好適に行える装置を提供する。【解決手段】一つ以上の無線アクセスネットワーク（ＲＡＮ２０８−１〜２０８−３）、一つ以上の無線コアネットワーク（ＣＮ２１０−１〜２１０−３）、および一つ以上の無線サービスネットワーク（ＳＮ２１２−１〜２１２−３）を有するネットワーク環境（２００）において動作可能なネットワーク選択スキームが提供される。特定のネットワークの組み合わせの識別情報を得た後、無線ユーザ装備（ＵＥ）装置（１０２）はローミングブローカ（ＲＢ）（２１８）に登録するように動作可能であり、それにより追加的な情報が、適切なネットワーク選択を容易にするための装置（１０２）に提供され得る。【選択図】図２
2006311558.tif 000002
【特許請求の範囲】
【請求項１】
ネットワーク環境（２００）において実行可能であるネットワーク選択方法であって、
相互接続された配列において配置された、一つ以上の無線アクセスネットワーク（ＲＡＮ２０８−１から２０８−３）、一つ以上の無線コアネットワーク（ＣＮ２１０−１から２１０−３）、および一つ以上の無線サービスネットワーク（ＳＮ２１２−１から２１２−３）に対応する識別コードの組み合わせとして、それぞれ識別された複数のネットワークの組み合わせから選択された特定のネットワークの組み合わせの識別情報を、無線ユーザ装備（ＵＥ）装置（１０２）によって得た後、該無線ＵＥ装置（１０２）によってローミングブローカ（ＲＢ）（２１８）に登録すること（１００８）と、
追加的なネットワークの組み合わせが該無線ＵＥ装置（１０２）に対してより適切かどうかを、該ＲＢ（２１８）によって決定すること（１０１０）と、
該決定すること（１０１０）に応じて、リダイレクトメッセージ（１０１２）を該無線ＵＥ装置（１０２）に提供することであって、該リダイレクトメッセージ（１０１２）が該追加的なネットワークの組み合わせの識別情報を含む、ことと
を包含し、
該無線ＵＥ装置（１０２）が、サービスを得るために、該特定のネットワークの組み合わせ、および該追加的なネットワークの組み合わせのうちの一つを選択するように動作可能である、ネットワーク環境（２００）において実行可能であるネットワーク選択方法。
【請求項２】
前記ＲＢ（２１８）に登録すること（１００８）が、ネットワーク広告情報、装置性能情報、ネットワーク性能情報、装置位置情報、および、前記無線ＵＥ装置（１０２）によって所望されるサービスに関連する情報のうちの少なくとも一つを送信することを含む、請求項１に記載の、ネットワーク環境（２００）において実行可能であるネットワーク選択方法。
【請求項３】
前記特定のネットワークの組み合わせが、ＲＡＮ、無線ＣＮ、および無線ＳＮのうちの少なくとも一つを含む、請求項１または請求項２に記載の、ネットワーク環境（２００）において実行可能であるネットワーク選択方法。
【請求項４】
前記追加的なネットワークの組み合わせが、ＲＡＮ、無線ＣＮ、および無線ＳＮのうちの少なくとも一つを含む、請求項１〜３のいずれか一項に記載の、ネットワーク環境（２００）において実行可能であるネットワーク選択方法。
【請求項５】
前記ＲＢが、前記ネットワーク環境（２００）の、ＲＡＮセグメント（２０２）、ＣＮセグメント（２０４）、ＳＮセグメント（２０６）、およびパブリックパケット交換インターネットプロトコル（ＩＰ）ネットワーク（２２０）のうちの少なくとも一つに関連される、請求項１〜４のいずれか一項に記載の、ネットワーク環境（２００）において実行可能であるネットワーク選択方法。
【請求項６】
前記識別コードの組み合わせが、ネットワーク広告ブローカ（ＮＡＢ）（２１４）をクエリすることによって得られる、請求項１〜５のいずれか一項に記載の、ネットワーク環境（２００）において実行可能であるネットワーク選択方法。
【請求項７】
前記識別コードの組み合わせが、一つ以上のＲＡＮ（２０８−１から２０８−３）からのブロードキャスト制御チャンネルメッセージ（４０６−１から４０６−Ｎ）を介して得られる、請求項１〜５のいずれか一項に記載の、ネットワーク環境（２００）において実行可能であるネットワーク選択方法。
【請求項８】
前記識別コードの組み合わせが、ビーコンチャンネルを介して得られる、請求項１〜５のいずれか一項に記載の、ネットワーク環境（２００）において実行可能であるネットワーク選択方法。
【請求項９】
前記追加的なネットワークの組み合わせの前記識別情報が、前記無線ＵＥ装置（１０２）の地理的位置に基づいてカスタマイズされる、請求項１〜８のいずれか一項に記載の、ネットワーク環境（２００）において実行可能であるネットワーク選択方法。
【請求項１０】
前記ＲＢ（２１８）のＩＰアドレスが、前記無線ＵＥ装置（１０２）によって開始される、完全修飾ドメイン名（ＦＱＤＮ）クエリ（１００６）を介して得られる、請求項１〜９のいずれか一項に記載の、ネットワーク環境（２００）において実行可能であるネットワーク選択方法。
【請求項１１】
無線ユーザ装備（ＵＥ）装置（１０２）であって、
配置領域において利用可能である特定のネットワークの組み合わせの識別情報の発見を容易にするように動作可能であるロジックモジュール（１２４０）であって、複数のネットワークの組み合わせから選択された該特定のネットワークの組み合わせが、相互接続された配列において配置された、一つ以上の無線アクセスネットワーク（ＲＡＮ２０８−１から２０８−３）、一つ以上の無線コアネットワーク（ＣＮ２１０−１から２１０−３）、および一つ以上の無線サービスネットワーク（ＳＮ２１２−１から２１２−３）に対応する識別コードの組み合わせとして、それぞれ識別される、ロジックモジュール（１２４０）と、
ネットワーク環境（２００）において配置されたローミングブローカ（ＲＢ）（２１８）に、該無線ＵＥ装置（１０２）の登録を容易にするように動作可能である、ロジックモジュール（１２４５）と、
リダイレクトメッセージ（１０１２）を介して、該ＲＢ（２１８）によって提供される、該特定のネットワークの組み合わせおよび追加的なネットワークの組み合わせのうちの一つの選択を容易にするように動作可能である、ロジックモジュール（１２４０）と
を備える、無線ユーザ装備（ＵＥ）装置（１０２）。
【請求項１２】
前記リダイレクトメッセージ（１０１２）が、前記無線ＵＥ装置（１０２）に対してより適切であるように、前記ＲＢ（２１８）によって決定される前記追加的なネットワークの組み合わせの識別情報を含む、請求項１１に記載の無線ＵＥ装置（１０２）。
【請求項１３】
前記識別コードの組み合わせが、少なくとも一つの周波数帯におけるスキャニングを介して得られる、請求項１１または請求項１２に記載の無線ＵＥ装置（１０２）。
【請求項１４】
前記スキャンが、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワーク、グローバル移動体通信システム（ＧＳＭ）進化型高速データレート展開（ＥＤＧＥ）ネットワーク（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）、第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、および時分割多重接続（ＴＤＭＡ）ネットワークのうちの少なくとも一つに対応する周波数帯において実施される、請求項１３に記載の無線ＵＥ装置（１０２）。
【請求項１５】
前記スキャンが、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択された無線ローカルエリアネットワーク（ＷＬＡＮ）規格のうちの少なくとも一つに対応する周波数帯において実施される、請求項１３に記載の無線ＵＥ装置（１０２）。
【請求項１６】
前記識別コードの組み合わせが、無線アクセスネットワーク（ＲＡＮ）セグメント（２０２）、コアネットワーク（ＣＮ）セグメント（２０４）、サービスネットワーク（ＳＮ）セグメント（２０６）、およびパブリックパケット交換インターネットプロトコル（ＩＰ）ネットワーク（２１６）のうちの少なくとも一つに関連する、ネットワーク広告ブローカ（ＮＡＢ）（２１４）をクエリすることによって得られる、請求項１１または請求項１２に記載の無線ＵＥ装置（１０２）。
【請求項１７】
前記識別コードの組み合わせが、前記配置領域において利用可能なビーコンチャンネルを介して得られる、請求項１１または請求項１２に記載の無線ＵＥ装置（１０２）。
【請求項１８】
前記特定のネットワークの組み合わせが、ＲＡＮ、無線ＣＮ、および無線ＳＮのうちの少なくとも一つを含む、請求項１１〜１７のいずれか一項に記載の無線ＵＥ装置（１０２）。
【請求項１９】
前記追加的なネットワークの組み合わせが、ＲＡＮ、無線ＣＮ、および無線ＳＮのうちの少なくとも一つを含む、請求項１１〜１８のいずれか一項に記載の無線ＵＥ装置（１０２）。
【請求項２０】
前記ＲＢ（２１８）に登録することを容易にするように動作可能である前記ロジックモジュール（１２４５）が、ネットワーク広告情報、装置性能情報、ネットワーク性能情報、装置位置情報、および、前記無線ＵＥ装置（１０２）によって所望されるサービスに関連する情報のうちの少なくとも一つを送信することを含む、請求項１１〜１９のいずれか一項に記載の無線ＵＥ装置（１０２）。
【発明の詳細な説明】
【技術分野】
【０００１】
（関連出願の参照）
本出願は、以下の、Ａｄｒｉａｎ  Ｂｕｃｋｌｅｙ、Ｐａｕｌ  Ｃａｒｐｅｎｔｅｒ、Ｎｉｃｈｏｌａｓ  Ｐ．  Ａｌｆａｎｏ、およびＡｎｄｒｅｗ  Ａｌｌｅｎらの名において、これ（代理人整理番号第１４００−１０３６ＵＳ）において、同日の日付にて出願された、共有される同時係属の米国特許出願、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ  （ＮＡＢ）」において開示された主題に関連する主題を開示する。
【０００２】
本特許出願開示は、一般に、通信ネットワークに関する。より詳細には、および、いかなる限定をも付すものではないが、本特許出願は、ローミングブローカ（ＲＢ）などの、ブローカリング（ｂｒｏｋｅｒｉｎｇ）要素を用いたネットワーク選択スキームに関する。
【背景技術】
【０００３】
無線ネットワークが配置される場合、サービスを得たい無線ユーザ装備（ＵＥ）装置が無線ネットワークを識別することができるように、識別子をブロードキャストする必要がある。通常の実施においては、単一のブロードキャスト識別子が提供される。しかしながら、構成要素である、無線アクセスネットワーク（ＲＡＮ）、コアネットワーク（ＣＮ）、およびサービスネットワーク（ＳＮ）はセグメント化され、個々に識別されるが、そのような技術は、相当に不十分になってきている。
【発明の開示】
【課題を解決するための手段】
【０００４】
ネットワーク選択スキームは、一つ以上の無線アクセスネットワーク（ＲＡＮ）、一つ以上のコアネットワーク（ＣＮ）、および一つ以上のＳＮを有するネットワーク環境における動作のために提供される。特定のネットワークの組み合わせの識別情報を得ると、無線ユーザ装備（ＵＥ）装置は、ローミングブローカ（ｂｒｏｋｅｒ）（ＲＢ）に登録されるように動作可能であり、それによって、追加的な情報が、適切なネットワーク選択を容易にするデバイスに提供され得る。
【０００５】
一実施形態において、本開示は、一つ以上のＲＡＮ、一つ以上のＣＮ、および一つ以上のＳＮを有するネットワーク環境において動作可能である、ネットワーク選択方法に関し、無線ＵＥ装置によって特定のネットワークの組み合わせの識別情報を得ることと、無線ＵＥ装置によってローミングブローカ（ＲＢ）のインターネットプロトコル（ＩＰ）アドレスを得ることと、登録後に、それとともに、無線ＵＥ装置によって、ネットワーク広告情報をＲＢに送信することと、追加的な情報の組み合わせが無線ＵＥ装置に対してより適切かどうかをＲＢによって決定することと、その決定に応じて、無線ＵＥ装置にリダイレクトメッセージを提供することであって、そのリダイレクトメッセージが、追加的なネットワークの組み合わせの識別情報を含む、ことと、無線ＵＥ装置によってサービスを得るために、特定のネットワークの組み合わせおよび追加的なネットワークの組み合わせのうちの一つを選択することとを包含する。
【０００６】
別の実施形態において、本開示は、一つ以上のＲＡＮ、一つ以上のＣＮ、および一つ以上のＳＮを有するネットワーク環境において動作可能であるネットワーク選択システムに関し、特定のネットワークの組み合わせの識別情報を得、そのネットワーク環境において配置されるローミングブローカ（ＲＢ）のＩＰアドレスを得るための無線ＵＥ装置に関連する手段と、登録後、それとともに、無線ＵＥ装置によって、ＲＢにネットワーク広告情報を送信する手段と、追加的なネットワークの組み合わせが無線ＵＥ装置に対してより適切かどうかを決定するためのＲＢに関連する手段と、その決定に応じて、無線ＵＥ装置にリダイレクトメッセージを提供するために動作可能である手段であって、そのリダイレクトメッセージが、追加的なネットワークの組み合わせの識別情報を含む、手段と、無線ＵＥ装置によってサービスを得るために、特定のネットワークの組み合わせおよび追加的なネットワークの組み合わせのうちの一つを選択するための無線ＵＥ装置に関連する手段とを備える。
【０００７】
さらなる実施形態において、本開示は、無線ＵＥ装置に関し、配置領域において利用可能である特定のネットワークの組み合わせの識別情報を得るように動作可能であるロジックモジュールと、登録後、それとともに、ネットワーク環境に配置されるローミングブローカ（ＲＢ）に、ネットワーク広告情報を送信するように動作可能であるロジックモジュールと、リダイレクトメッセージを介して、ＲＢによって提供される、特定のネットワークの組み合わせおよび追加的なネットワークの組み合わせのうちの一つを選択するように動作可能であるロジックモジュールとを備え、ＲＢは、追加的なネットワークの組み合わせが無線ＵＥ装置に対してより適切かどうかを決定するためのサービスロジックを含み、そのリダイレクトメッセージが追加的なネットワークの組み合わせの識別情報を含む。
【０００８】
本発明は、さらに以下の手段を提供する。
【０００９】
（項目１）  
ネットワーク環境（２００）において実行可能であるネットワーク選択方法であって、
相互接続された配列（ａｒｒａｎｇｅｍｅｎｔ）において配置された、一つ以上の無線アクセスネットワーク（ＲＡＮ２０８−１から２０８−３）、一つ以上の無線コアネットワーク（ＣＮ２１０−１から２１０−３）、および一つ以上の無線サービスネットワーク（ＳＮ２１２−１から２１２−３）に対応する識別コードの組み合わせとして、それぞれ識別された複数のネットワークの組み合わせから選択された特定のネットワークの組み合わせの識別情報を、無線ユーザ装備（ＵＥ）装置（１０２）によって得た後、該無線ＵＥ装置（１０２）によってローミングブローカ（ＲＢ）（２１８）に登録すること（１００８）と、
追加的なネットワークの組み合わせが該無線ＵＥ装置（１０２）に対してより適切かどうかを、該ＲＢ（２１８）によって決定すること（１０１０）と、
該決定すること（１０１０）に応じて、リダイレクトメッセージ（１０１２）を該無線ＵＥ装置（１０２）に提供することであって、該リダイレクトメッセージ（１０１２）が該追加的なネットワークの組み合わせの識別情報を含む、ことと
を包含し、
該無線ＵＥ装置（１０２）が、サービスを得るために、該特定のネットワークの組み合わせ、および該追加的なネットワークの組み合わせのうちの一つを選択するように動作可能である、ネットワーク環境（２００）において実行可能であるネットワーク選択方法。
【００１０】
（項目２）  
上記ＲＢ（２１８）に登録すること（１００８）が、ネットワーク広告情報、装置性能情報、ネットワーク性能情報、装置位置情報、および、上記無線ＵＥ装置（１０２）によって所望されるサービスに関連する情報のうちの少なくとも一つを送信することを含む、項目１に記載の、ネットワーク環境（２００）において実行可能であるネットワーク選択方法。
【００１１】
（項目３）  
上記特定のネットワークの組み合わせが、ＲＡＮ、無線ＣＮ、および無線ＳＮのうちの少なくとも一つを含む、項目１または項目２に記載の、ネットワーク環境（２００）において実行可能であるネットワーク選択方法。
【００１２】
（項目４）  
上記追加的なネットワークの組み合わせが、ＲＡＮ、無線ＣＮ、および無線ＳＮのうちの少なくとも一つを含む、項目１〜３のいずれか一項に記載の、ネットワーク環境（２００）において実行可能であるネットワーク選択方法。
【００１３】
（項目５）  
上記ＲＢが、上記ネットワーク環境（２００）の、ＲＡＮセグメント（２０２）、ＣＮセグメント（２０４）、ＳＮセグメント（２０６）、およびパブリックパケット交換インターネットプロトコル（ＩＰ）ネットワーク（２２０）のうちの少なくとも一つに関連される、項目１〜４のいずれか一項に記載の、ネットワーク環境（２００）において実行可能であるネットワーク選択方法。
【００１４】
（項目６）  
上記識別コードの組み合わせが、ネットワーク広告ブローカ（ＮＡＢ）（２１４）をクエリすることによって得られる、項目１〜５のいずれか一項に記載の、ネットワーク環境（２００）において実行可能であるネットワーク選択方法。
【００１５】
（項目７）  
上記識別コードの組み合わせが、一つ以上のＲＡＮ（２０８−１から２０８−３）からのブロードキャスト制御チャンネルメッセージ（４０６−１から４０６−Ｎ）を介して得られる、項目１〜５のいずれか一項に記載の、ネットワーク環境（２００）において実行可能であるネットワーク選択方法。
【００１６】
（項目８）  
上記識別コードの組み合わせが、ビーコンチャンネルを介して得られる、項目１〜５のいずれか一項に記載の、ネットワーク環境（２００）において実行可能であるネットワーク選択方法。
【００１７】
（項目９）  
上記追加的なネットワークの組み合わせの上記識別情報が、上記無線ＵＥ装置（１０２）の地理的位置に基づいてカスタマイズされる、項目１〜８のいずれか一項に記載の、ネットワーク環境（２００）において実行可能であるネットワーク選択方法。
【００１８】
（項目１０）  
上記ＲＢ（２１８）のＩＰアドレスが、上記無線ＵＥ装置（１０２）によって開始される、完全修飾ドメイン名（ＦＱＤＮ）クエリ（１００６）を介して得られる、項目１〜９のいずれか一項に記載の、ネットワーク環境（２００）において実行可能であるネットワーク選択方法。
【００１９】
（項目１１）  
無線ユーザ装備（ＵＥ）装置（１０２）であって、
配置領域において利用可能である特定のネットワークの組み合わせの識別情報の発見を容易にするように動作可能であるロジックモジュール（１２４０）であって、複数のネットワークの組み合わせから選択された該特定のネットワークの組み合わせが、相互接続された配列において配置された、一つ以上の無線アクセスネットワーク（ＲＡＮ２０８−１から２０８−３）、一つ以上の無線コアネットワーク（ＣＮ２１０−１から２１０−３）、および一つ以上の無線サービスネットワーク（ＳＮ２１２−１から２１２−３）に対応する識別コードの組み合わせとして、それぞれ識別される、ロジックモジュール（１２４０）と、
ネットワーク環境（２００）において配置されたローミングブローカ（ＲＢ）（２１８）に、該無線ＵＥ装置（１０２）の登録を容易にするように動作可能である、ロジックモジュール（１２４５）と、
リダイレクトメッセージ（１０１２）を介して、該ＲＢ（２１８）によって提供される、該特定のネットワークの組み合わせおよび追加的なネットワークの組み合わせのうちの一つの選択を容易にするように動作可能である、ロジックモジュール（１２４０）と
を備える、無線ユーザ装備（ＵＥ）装置（１０２）。
【００２０】
（項目１２）  
上記リダイレクトメッセージ（１０１２）が、上記無線ＵＥ装置（１０２）に対してより適切であるように、上記ＲＢ（２１８）によって決定される上記追加的なネットワークの組み合わせの識別情報を含む、項目１１に記載の無線ＵＥ装置（１０２）。
【００２１】
（項目１３）  
上記識別コードの組み合わせが、少なくとも一つの周波数帯におけるスキャニングを介して得られる、項目１１または項目１２に記載の無線ＵＥ装置（１０２）。
【００２２】
（項目１４）  
上記スキャンが、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワーク、グローバル移動体通信システム（ＧＳＭ）進化型高速データレート展開（ＥＤＧＥ）ネットワーク（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）、第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、および時分割多重接続（ＴＤＭＡ）ネットワークのうちの少なくとも一つに対応する周波数帯において実施される、項目１３に記載の無線ＵＥ装置（１０２）。
【００２３】
（項目１５）  
上記スキャンが、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択された無線ローカルエリアネットワーク（ＷＬＡＮ）規格のうちの少なくとも一つに対応する周波数帯において実施される、項目１３に記載の無線ＵＥ装置（１０２）。
【００２４】
（項目１６）  
上記識別コードの組み合わせが、無線アクセスネットワーク（ＲＡＮ）セグメント（２０２）、コアネットワーク（ＣＮ）セグメント（２０４）、サービスネットワーク（ＳＮ）セグメント（２０６）、およびパブリックパケット交換インターネットプロトコル（ＩＰ）ネットワーク（２１６）のうちの少なくとも一つに関連する、ネットワーク広告ブローカ（ＮＡＢ）（２１４）をクエリすることによって得られる、項目１１または項目１２に記載の無線ＵＥ装置（１０２）。
【００２５】
（項目１７）  
上記識別コードの組み合わせが、上記配置領域において利用可能なビーコンチャンネルを介して得られる、項目１１または項目１２に記載の無線ＵＥ装置（１０２）。
【００２６】
（項目１８）  
上記特定のネットワークの組み合わせが、ＲＡＮ、無線ＣＮ、および無線ＳＮのうちの少なくとも一つを含む、項目１１〜１７のいずれか一項に記載の無線ＵＥ装置（１０２）。
【００２７】
（項目１９）  
上記追加的なネットワークの組み合わせが、ＲＡＮ、無線ＣＮ、および無線ＳＮのうちの少なくとも一つを含む、項目１１〜１８のいずれか一項に記載の無線ＵＥ装置（１０２）。
【００２８】
（項目２０）  
上記ＲＢ（２１８）に登録することを容易にするように動作可能である上記ロジックモジュール（１２４５）が、ネットワーク広告情報、装置性能情報、ネットワーク性能情報、装置位置情報、および、上記無線ＵＥ装置（１０２）によって所望されるサービスに関連する情報のうちの少なくとも一つを送信することを含む、項目１１〜１９のいずれか一項に記載の無線ＵＥ装置（１０２）。
【００２９】
（摘要）
一つ以上の無線アクセスネットワーク（ＲＡＮ２０８−１〜２０８−３）、一つ以上の無線コアネットワーク（ＣＮ２１０−１〜２１０−３）、および一つ以上の無線サービスネットワーク（ＳＮ２１２−１〜２１２−３）を有するネットワーク環境（２００）において動作可能なネットワーク選択スキームが提供される。特定のネットワークの組み合わせの識別情報を得た後、無線ユーザ装備（ＵＥ）装置（１０２）はローミングブローカ（ＲＢ）（２１８）に登録するように動作可能であり、それにより追加的な情報が、適切なネットワーク選択を容易にするための装置（１０２）に提供され得る。
【発明を実施するための最良の形態】
【００３０】
本特許出願における実施形態のより完全な理解は、添付された図面とともに、以下の詳細な記述に対する参照によってなされ得る。
【００３１】
本特許出願開示のシステムおよび方法は、本実施形態が最良になされ、および使用され得る方法を、様々な例を参照して、ここに記載される。同様の参照番号は、本記載および図面のいくつかの表示全体を通して、同様のまたは対応する部分を示すために使用され、ならびに、様々な要素は、必ずしも縮尺通りに記載されてはいない。図面、特に、図１を参照すると、そこに表されているのは、例示的な通常のネットワーク環境１００であり、本特許出願開示の一実施形態が実施され得る。ユーザ装備（ＵＥ）装置１０２は、任意の携帯用コンピュータ（例えば、ラップトップ、パームトップ、または持ち運び用のコンピュータ装置）、モバイル通信機器（例えば、携帯電話、または、メッセージまたはウェブブラウザを送受信することができる、データ扱い可能な持ち運び用機器など）、あるいは、任意の向上された携帯用情報端末（ＰＤＡ）機器、または、ｅメール、ビデオメール、インターネットアクセス、企業データアクセス、メッセージング、カレンダーおよびスケジューリング、情報管理などをすることが可能な一体化された情報電子機器（好ましくは、一つ以上の動作モードにおいて、および、多数の周波数帯において動作可能である）を含み得る。例えば、ＵＥ装置１０２は、携帯電話帯域周波数、および無線ローカルエリアネットワーク（ＷＬＡＮ）において動作し得る。さらに、ＵＥ装置が無線にて動作可能である他の帯域は、Ｗｉ−Ｍａｘ帯域または一つ以上の衛星帯域を含み得る。例示によって、ネットワーク環境１００は、サービスをＵＥ装置１０２に提供することができる通信スペースの二つの広いカテゴリとして描かれる。そこにおいて、ネットワーク広告情報の獲得は、ここで説明される教示に従って達成され得る。広域携帯電話ネットワーク（ＷＡＣＮ）スペース１０４において、パケット交換データサービスを含み得るか、または含み得ない携帯電話サービスを提供するように動作可能である、任意の数のパブリック陸上移動通信網（ＰＬＭＮ）が存在し得る。カバー領域およびユーザがローミングするかどうかに依存して、ＷＡＣＮスペース１０４は、多数のホームネットワーク１１０（つまり、ホームＰＬＭＮまたはＨＰＬＭＮ、あるいは、それと同等のＨＰＬＭＮまたはＥＨＰＬＭＮ）、ビジテッド（ｖｉｓｉｔｅｄ）ネットワーク（つまり、ＶＰＬＭＮ）１１２を含み得、それぞれは、ホーム位置登録（ＨＬＲ）ノード１１５、モバイル交換センター（ＭＳＣ）ノード１１６、などの、適切なインフラストラクチャを有する。ＷＡＣＮスペース１０４はまた、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークを含み得、グローバル移動体通信システム（ＧＳＭ）ベースのキャリアネットワークの携帯電話用インフラストラクチャを用いたモバイル機器のパケット無線アクセスを提供し、Ｓｅｒｖｉｎｇ  ＧＰＲＳサポートノード（ＳＧＳＮ）１１４はそこで例示される。追加的に、普及された方法によって、ＷＡＣＮスペース１０４のＰＬＭＮは、拡張型高速データレート展開（ＥＤＧＥ）ネットワーク（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、時分割多重接続（ＴＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、または第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）（例えば、３ＧＰＰまたは３ＧＰＰ２）からなる群から選択された、無線アクセスおよびコアネットワークを含み得、それら全ては、既知の周波数帯域およびプロトコルとともに動作する。
【００３２】
さらに、ＵＥ装置１０２は、ＷＡＣＮスペース１０４に接続されるアクセスネットワーク（ＡＮ）スペース１０６からのサービスを得るように動作可能である。一実施において、ＡＮスペース１０６は、一つ以上のジェネリックアクセスネットワーク（ＧＡＮ）１１８、および、無線ＬＡＮ（ＷＬＡＮ）配置１２０の任意のタイプを含み、それらの両方は、ＵＥ装置１０２と、ブロードバンドインターネットプロトコル（ＩＰ）ベースネットワークを使用するＰＬＭＮコアネットワークとの間のアクセスサービスを提供するように動作可能である任意の無線ＡＮとして普及され得る。ＷＬＡＮ配置１２０は、アクセスポイント（ＡＰ）または「ホットスポット（ｈｏｔ  ｓｐｏｔ）」を介して、短距離無線接続をＵＥ装置１０２に提供し、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格などの、様々な規格を用いて実施され得る。
【００３３】
一実施形態において、ＷＡＣＮとＡＮスペースとの間の接点は、所定の規格に従って実施され得る。例えば、ＧＡＮ１１８は、３ＧＰＰ  ＴＲ４３．９０１および３ＧＰＰ  ＴＳ４３．ｘｘｘドキュメント、ならびに関連するドキュメンテーションにおいて説明される手順を使用する、一つ以上のＰＬＭＮとインターフェース接続し得る。同様に、ＷＬＡＮ１２０は、３ＧＰＰ  ＴＳ２２．２３４、３ＧＰＰ  ＴＳ２３．２３４、および３ＧＰＰ  ＴＳ２４．２３４ドキュメント、ならびに関連するドキュメンテーションにおいて説明される手順を使用する、少なくとも一つＰＬＭＮコアと接し得、それゆえ、Ｉｎｔｅｒｗｏｒｋｉｎｇ  ＷＬＡＮ（Ｉ−ＷＬＡＮ）配置と呼ばれ得る。
【００３４】
前述に基づいて、ネットワーク環境１００のサービスインフラストラクチャは、一つ以上の無線アクセスネットワーク（ＲＡＮ）（それは、携帯電話帯域技術とＷＬＡＮ技術を含み得る）、一つ以上のコアネットワーク（ＣＮ）、および一つ以上のサービスネットワーク（ＳＮ）である、三つの広いセグメントに一般化され得る。ネットワーク所有の配置およびサービスレベルの取り決めに依存して、それぞれのＲＡＮは、一つ以上のＣＮをサポートし得、次に、それらのそれぞれが一つ以上のＳＮをサポートし得る。多数のオーナーに亘るインフラストラクチャ装備の組み合わせは、時々、Ｍｏｂｉｌｅ  Ｖｉｒｔｕａｌ  Ｎｅｔｗｏｒｋ  Ｏｐｅｒａｔｏｒｓ（ＭＶＮＯ）を作成するために使用される。本特許出願開示の教示は、ＰＬＭＮに関するＭＶＮＯに等しく適用可能である。それぞれのＲＡＮ、ＣＮ、およびＳＮはそれ自体のネットワーク識別子（ＩＤコード）を提供され得、さらに、ネットワーク環境１００において利用可能である多数のＲＡＮ−ＣＮ−ＳＮの組み合わせのために、ネットワーク広告情報を提供する単一のブロードキャスト識別子の従来のブロードキャスティングは、不利になっている。
【００３５】
本開示の教示を定式化するために、ここで図２が参照され、ネットワーク環境２００の例示的な実施形態において、図１に図示された、一般化されたネットワーク環境１００のさらに具体的なサブセットが示される。図に示されるように、無線ＵＥ装置１０２は、ＲＡＮセグメント２０２からネットワーク広告情報を獲得するために動作可能なように配置され、ＲＡＮセグメント２０２は、次に、ＳＮセグメント２０６に結合されるＣＮセグメント２０４に結合される。三つのＲＡＮである、ＲＡＮ−１（２０８−１）、ＲＡＮ−２（２０８−２）、およびＲＡＮ−３（２０８−３）が図示され、それらは個々に、ネットワークコードであるＭＡＮＣ１、ＭＡＮＣ２、およびＭＡＮＣ３を用いて識別される。ＣＮセグメント２０４はまた、ＣＮ−１（２１０−１）（ＭＣＮＣ１のＩＤコードを有する）、ＣＮ−２（２１０−２）（ＭＣＮＣ２のＩＤコードを有する）、およびＣＮ−３（２１０−３）（ＭＣＮＣ３のＩＤコードを有する）の三つのＣＮが図示される。同様に、ＳＮセグメント２０６は、ＳＮ−１（２１２−１）（ＭＳＮＣ１のＩＤコードを有する）、ＳＮ−２（２１２−２）（ＭＳＮＣ２のＩＤコードを有する）、およびＳＮ−３（２１２−３）（ＭＳＮＣ３のＩＤコードを有する）の三つのＳＮが図示される。
【００３６】
例として、ＲＡＮ−１（２０８−１）は、二つのＣＮである、ＣＮ−１（２１０−１）およびＣＮ−２（２１０−２）への接続をサポートするように動作可能である。同様な方法において、ＲＡＮ−２（２０８−２）は三つのＣＮをサポートし、ＲＡＮ−３（２０８−３）は一つのＣＮのみをサポートする。それぞれのＣＮは、一つ以上のＳＮ（例えば、ＣＮ−３（２１０−３）はＳＮ−２（２１２−２）およびＳＮ−３（２１２−３）に接続する）への接続をサポートする。ＲＡＮ／ＣＮ／ＳＮセグメントの相互接続を与えられ、識別コードのいくつかの組み合わせは、無線ＵＥ装置１０２が潜在的に発見し得、および選択し得る様々なＲＡＮ−ＣＮ−ＳＮの組み合わせを独自に識別するために得られ得る。例えば、適切なモバイル国別コード（ＭＣＣ）が含まれつつ、ＲＡＮ−１（２０８−１）に関連する三つのＩＤコードの組み合わせは、
［ＭＣＣ．ＭＡＮＣ１．ＭＣＮＣ１．ＭＳＮＣ１］；
［ＭＣＣ．ＭＡＮＣ１．ＭＣＮＣ１．ＭＳＮＣ２］；および
［ＭＣＣ．ＭＡＮＣ１．ＭＣＮＣ２．ＭＳＮＣ２］である。
【００３７】
同様に、ＲＡＮ−２  ２０８−２に関連するＩＤコードの組み合わせは、
［ＭＣＣ．ＭＡＮＣ２．ＭＣＮＣ１．ＭＳＮＣ１］；
［ＭＣＣ．ＭＡＮＣ２．ＭＣＮＣ１．ＭＳＮＣ２］；
［ＭＣＣ．ＭＡＮＣ２．ＭＣＮＣ２．ＭＳＮＣ２］；
［ＭＣＣ．ＭＡＮＣ２．ＭＣＮＣ３．ＭＳＮＣ２］；および
［ＭＣＣ．ＭＡＮＣ２．ＭＣＮＣ３．ＭＳＮＣ３］である。
【００３８】
ＲＡＮ−３（２０８−３）に関連する二つのＩＤコードの組み合わせは、［ＭＣＣ．ＭＡＮＣ３．ＭＣＮＣ３．ＭＳＮＣ２］および［ＭＣＣ．ＭＡＮＣ３．ＭＣＮＣ３．ＭＳＮＣ２］である。上に、詳細に記載されたように、多数の選択が、初期スキャン手順（つまり、装置が任意のネットワークに登録される場合）、または、バックグラウンド捜査手順（つまり、装置がネットワーク上に登録される）のいずれかにおいて、適用可能なネットワークＩＤコード情報をＵＥ装置１０２に提供するために利用可能である。
【００３９】
さらに、ネットワーク広告ブローカ（ＮＡＢ）要素２１４はネットワーク環境２００において配置され、ネットワーク毎の基準において、様々なＲＡＮ−ＣＮ−ＳＮのＩＤコードの組み合わせの保管所（ｄｅｐｏｓｉｔｏｒｙ）、およびサポートされたサービス、性能などに関連する情報として動作可能である。例えば、ＮＡＢ２１４に関連するデータベース構造は、ＲＡＮ  ＩＤ、ＣＮ  ＩＤを含み得、それぞれのＲＡＮは、それぞれのＲＡＮによってサポートされるサービス、（前述の検討において言及されたような、３ＧＰＰ、３ＧＰＰ２、または任意のＩＥＥＥベースのＷＬＡＮなどの任意の無線技術であり得る）ＲＡＮによってサポートまたは動作される他のアクセスネットワークなどに接続され、情報の任意または全ては、定期的には、または必要に応じて、更新され得る。付け加えて、実施に依存して、ＮＡＢ２１４は、ＲＡＮ、ＣＮ、またはＳＮに、あるいはそれらのうちの任意の組み合わせに関連され得る。さらなる実施形態において、ＮＡＢ２１４は、パブリックパケット交換インターネットプロトコル（ＩＰ）ネットワーク部２１６（例えば、インターネット）を介してアクセス可能であるサードパーティ要素として提供され得る。
【００４０】
ローミングブローカ（ＲＢ）として参照される別のブローカ要素２１８がまた、ネットワーク環境２００において配置され、特にローミングが使用されるところにて、ＵＥ装置によって、ネットワーク選択を最適化することに関連して追加的な性能を提供する。上に、詳細にみられたように、ＲＢ２１８に関連する一つ以上のデータベース構造は、ＵＥ装置のホームネットワークとともに、直接または間接のビジター（ｖｉｓｉｔｏｒ）サービスの配置を有するネットワークに関連する、サービス関係データおよびサービス状態データが準備され得る。ＲＢ２１８において提供される適切なサービスロジックは、従って、ＵＥ装置１０２によって転送される入力に基づいて、ネットワーク選択を適合する目的のために実行され得る。ＮＡＢ実施と同様に、ＲＢ２１８は、ＲＡＮ、ＣＮ、またはＳＮ、あるいはそれらの任意の組み合わせを含む、ホームネットワークまたはビジテッド（ｖｉｓｉｔｅｄ）ネットワークに関連され得る。更なる実施形態において、ＲＢ２１８は、パブリックパケット交換インターネットプロトコル（ＩＰ）ネットワーク部２２０（例えば、インターネット）を介してアクセス可能である、サードパーティ要素として提供され得る。
【００４１】
ここで図３を参照すると、本特許出願開示の教示に従い、ＮＡＢ要素の一部として提供される例示的なデータベース構造３００がそこに表される。データベースのカバー範囲およびサードパーティの商業的な取り決めに基づき、データベース構造３００は、相当に多数のＲＡＮに関連するデータが準備され得る。参照番号３０２は、それらのＲＡＮ  ＩＤコードによって識別された一つ以上のＲＡＮを参照する。それぞれのＲＡＮによってサポートされるサービスは、カラム３０４において識別される。例えば、ＲＡＮ−１は、高速データリンクパケットアクセス（ＨＳＤＰＡ：Ｈｉｇｈ  Ｓｐｅｅｄ  Ｄａｔａｌｉｎｋ  Ｐａｃｋｅｔ  Ａｃｃｅｓｓ）、ＥＤＧＥなどをサポートするように動作可能である。特定のＲＡＮと他のアクセスネットワークとの相互関係または相互動作性は、カラム３０６において示される。図示されるように、ＲＡＮ−１は、追加的なＲＡＮ、ＲＡＮ−Ｘ、ＲＡＮ−Ｙ、およびＲＡＮ−Ｚ、ならびにＷＬＡＮ、ＷＬＡＮ−Ａ、およびＷＬＡＮ−Ｃと相互動作する。参照番号３０８は、カラム３０２において識別されるそれぞれの特定のＲＡＮによってサポートされたコアネットワークである。参照番号３１０は、例えば、ＩＰマルチメディアサブシステム（ＩＭＳ）、プレゼンス（Ｐｒｅｓｅｎｃｅ）、携帯電話を介したプシュツートーク（Ｐｕｓｈ−ｔｏ−Ｔａｌｋ）（ＰｏＣ）などの、それぞれのＣＮによってサポートされる様々なサービスである。
【００４２】
本特許出願開示の教示に従い、少なくとも三つの選択が、ネットワーク広告情報を提供するために利用可能である（つまり、どのネットワークおよびネットワークの組み合わせが無線装置に対して利用可能であるかを示す情報）。
Ｓ    ＲＡＮ基準毎にブロードキャストする。この選択において、既存のブロードキャストのメッセージは拡張され得るか、または、追加的なブロードキャストのメッセージは、ネットワークＩＤコードの組み合わせを搬送するために作成され得る。
Ｓ    サードパーティ（例えば、公共団体、消費者団体など）によって提供され得るビーコン（ｂｅａｃｏｎ）チャンネルを介して、全ての利用可能なネットワークおよびネットワークの組み合わせをブロードキャストする。
Ｓ    ＮＡＢ要素をクエリすることを介して提供される。
【００４３】
図４は、一実施形態に従い、ネットワーク広告情報を獲得するために、本特許出願開示の例示的なメッセージのフロー図を表し、広告メッセージはＲＡＮからブロードキャストされる。一つ以上のＲＡＮ４０４は、エアインターフェース４０２における関連する制御チャンネルを介して情報をブロードキャストするように動作可能である。一つの配置において、ＲＡＮノード４０４は、様々な携帯電話ネットワークに配置された送受信器基地局（ＢＴＳ：Ｂａｓｅ  Ｔｒａｎｓｃｅｉｖｅｒ  Ｓｔａｔｉｏｎ）を含み得る。参照番号４０６−１から４０６−Ｎは、指定された反復レートにおいて、ネットワークノードによってブロードキャストされる制御チャンネルメッセージである。一実施において、ブロードキャスト情報は、他のタイプの情報の中でも、ネットワークＩＤコードの組み合わせ情報（つまり、識別情報）、性能情報、隣接セル（ｃｅｌｌ）情報を含み得る。ＵＥ１０２は、エアインターフェース４０２を介してブロードキャスト情報を読み出すように動作可能であり、受信された広告情報に、少なくとも部分的に基づき、適切なネットワーク選択が実行され得、適切なネットワーク選択は、加入者、ネットワークオペレータなどによって構成され得るような、優先および禁止の提供を介して仲介され得る。
【００４４】
一実施において、様々なＲＡＮ−ＣＮ−ＳＮ  ＩＤコードの組み合わせは、それらの全体において送信され得る。つまり、それぞれのＲＡＮ−ＣＮ−ＳＮ  ＩＤコードの組み合わせは、完全に解かれ、明示的に送信され得る。例えば、図２のＲＡＮ−１に関連して提供された、三つの組み合わせのそれぞれ、［ＭＣＣ．ＭＡＮＣ１．ＭＣＮＣ１．ＭＳＮＣ１］、［ＭＣＣ．ＭＡＮＣ１．ＭＣＮＣ１．ＭＳＮＣ２］、および［ＭＣＣ．ＭＡＮＣ１，ＭＣＮＣ１．ＭＳＮＣ２］は、完全な形式において、ＲＡＮ−１によってブロードキャストされ得る。別の実施において、それぞれのＣＮは、それがサポートする全てのＳＮ  ＩＤコードを広告し得る。例えば、［ＭＣＣ．ＭＡＮＣ１．ＭＣＮＣ１．ＭＳＮＣ１．ＭＳＮＣ２］の組み合わせ形式は、ＭＳＮＣ１およびＭＳＮＣ２の両方が、ＭＣＮＣ１によって識別されたＣＮによってサポートされることを示す。
【００４５】
前に示されたように、それぞれのネットワークに対して、利用可能であるサービスを定義する、対応するブロードキャストメッセージが存在する。一局面において、ＵＥ１０２はまた、特定のＩＤコードの組み合わせ（例えば、［ＭＣＣ．ＭＡＮＣ１．ＭＣＮＣ１．ＭＳＮＣ２］）を送信することによってサービス情報を、そのような情報を得るための適切なネットワークノードに要求する。付け加えて、ＩＤコード情報およびサービス情報は、ブロードキャスティングのための一つ以上のＮＡＢによって、個々のＲＡＮに提供される。
【００４６】
図５は、別の実施形態に従い、ネットワーク広告情報を獲得するために、本特許出願開示の例示的なメッセージフロー図を図示する。前に示したように、ＵＥ１０２は、個々のＲＡＮから、エアインターフェース４０２を介して、ブロードキャストメッセージを読み出すように動作可能である。適用可能な選択フィルタ（例えば、ポジティブフィルタ（つまり、優先））およびネガティブフィルタ（つまり、禁止）を使用して、装置に構成され得るように、特定のＲＡＮが選択され得る（ブロック５０６）。その後、装置／ユーザは、認証、認可および課金管理（ＡＡＡ：Ａｕｔｈｅｎｔｉｃａｔｉｏｎ，  Ａｕｔｈｏｒｉｚａｔｉｏｎ  ａｎｄ  Ａｃｃｏｕｎｔｉｎｇ）サーバ５０４を用いて、認証メカニズム５０８に係ることによって認証される。認証に成功した後、ＲＡＮは、装置が、ＮＡＢのＩＰアドレスを使用して、例えばＮＡＢ２１４などの適切なＮＡＢとコンタクトさせるように動作可能である。一実施において、ＩＰアドレスは、装置によって開始される完全修飾ドメイン名（ＦＱＤＮ：Ｆｕｌｌｙ  Ｑｕａｌｉｆｉｅｄ  Ｄｏｍａｉｎ  Ｎａｍｅ）を介して得られ得、そこにおいて、ＦＱＤＮは、ＲＡＮのモバイル国別コード（ＭＣＣ）およびモバイルネットワークコード（ＭＮＣ）を用いて構成される。別の実施において、ＡＡＡサーバ５０４は、ＩＰアドレスまたはＦＱＤＮを提供し得る。参照番号５１０および５１２は、ドメインネームサーバ（ＤＮＳ）５０２に対するＦＱＤＮクエリを介したＩＰアドレス要求、および、そこからの応答である。いったん、ＮＡＢのＩＰアドレスがＵＥ１０２に対して利用可能であると、次いで、それは、要求メッセージ５１４を介してＮＡＢ２１４にコンタクトし、返答５１６を介して要求されるＮＡＢ情報を得る。要求メッセージ５１４の一部として、ＵＥ装置１０２は、加入者ＩＤ（例えば、ＧＳＭにおける、［ＭＣＣ］［ＭＮＣ］［ＭＩＮ］として構成されるＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）であり、［ＭＣＣ］が、その加入者の国を識別し、［ＭＮＣ］がＰＬＭＮネットワークを識別し、および［ＭＩＮ］が無線ＵＥ装置を識別する独自のＩＤである）、ネットワークＩＤ（例えば、Ｃｅｌｌ  Ｇｌｏｂａｌ  Ｉｄｅｎｔｉｆｉｃａｔｉｏｎ（ＣＧＩ）またはＳｙｓｔｅｍ  Ｉｄｅｎｔｉｆｉｃａｔｉｏｎ（ＳＩＤ））、他のネットワークのネットワークＩＤ、無線ＵＥ装置の位置情報（例えば、全地球測位システムまたはＧＰＳ座標）、メディアアクセスコントロール（ＭＡＣ）、および無線ＵＥ装置のＭＡＣアドレスの任意または全てを含み得る。
【００４７】
返答メッセージ５１６の一部として、ＮＡＢ２１４は格納されたＲＡＮ−ＣＮ−ＳＮ  ＩＤ情報、ならびに、それに関連するサービスおよび性能を送信するように動作可能である。無線ＵＥ装置１０２の地理的位置情報に基づき、ＮＡＢ情報は適切にカスタマイズされ得る。要求された情報の受取りの後、無線ＵＥ装置はそれをローカルに格納し得る。
【００４８】
図６は、上に記載された方法の一実施形態に関連するフローチャートである。ブロック６０２において、無線ＵＥ装置は、装置構成などに依存しながら、一つ以上の周波数帯および一つ以上の無線アクセス技術におけるＷＬＡＮを含む、利用可能なＲＡＮをスキャンするように動作可能である。例えば、使用される多数の技術モードに対して、無線ＵＥ装置を構成することが可能であり、その構成情報は、その装置とともに動作する、加入者識別モジュール（ＳＩＭ）カード、または着脱可能ユーザ識別モジュール（ＲＵＩＭ）カード上の、基底（ｅｌｅｍｅｎｔａｒｙ）ファイル（ＥＦ）構造として格納され得る。他の着脱可能なメモリ形式は、コンパクトフラッシュ（登録商標）（ｃｏｍｐａｃｔ  Ｆｌａｓｈ）、セキュアＳＤ（ｓｅｃｕｒｅ  ＳＤ）などを含み得る。別の実施形態において、そのようなデータは、装置に統合される固定メモリモジュールにおいて、および／または、管理されたオブジェクト情報ツリーの一部として、格納され得る。付け加えて、装置構成データは、ショートメッセージサービス（ＳＭＳ）、セルブロードキャスト（Ｃｅｌｌ  Ｂｒｏａｄｃａｓｔ）、マルチメディアブロードキャスト／マルチキャストサービス（ＭＢＭＳ）、または、非構造付加サービスデータ（ＵＳＳＤ：Ｕｎｓｔｒｕｃｔｕｒｅｄ  Ｓｕｐｐｌｅｍｅｎｔａｒｙ  Ｓｅｒｖｉｃｅ  Ｄａｔａ）などの、Ｏｖｅｒ  ｔｈｅ  Ａｉｒ（ＯＴＡ）を介して、ネットワークオペレータによって修正され得る。さらなる実施形態において、加入者がその装置構成データを修正することが可能であり得る。
【００４９】
図１に関連して、前記された例示的なネットワーク環境１００の多様性を考慮すると、スキャンは、ＧＥＲＡＮ（ＥＤＧＥなしの）、ＧＥＲＡＮ（ＥＤＧＥありの）、ＩＤＥＮネットワーク、ＣＤＭＡ／ＣＤＭＡ２０００／ＴＤＭＡネットワーク、ＵＭＴＳネットワークなどの技術の少なくとも一つが動作している周波数帯において実施され得ることが認識される。付け加えて、スキャンは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択されたＷＬＡＮ規格に対応する周波数帯において実施され得る。さらに、ＵＥ装置は、スキャンを介して得られたネットワーク情報の少なくとも一部に基づいたＲＡＮを選択するロジックを含む。その後、ＡＡＡを使用した認証メカニズムは、その装置および加入者を認証するために使用される（ブロック６０４）。適切なＮＡＢのＩＰアドレスは、例えばＦＱＤＮを用いて得られる（ブロック６０６）。その後、ＮＡＢはブロック６０６において得られたＩＰアドレスを用いてコンタクトされ、そこで、サービス／性能情報を含む適切なネットワーク広告情報は、ＮＡＢから得られ得る。前に示されたように、そのような情報は、例えば、地理的位置に基づいてカスタマイズされ得る。これらの動作は、ブロック６０８からブロック６１０において例示される。
【００５０】
図７は、本特許出願開示の一局面に従って、ネットワーク選択の優先および拒否を構成可能なように設定するための、動作ベースリスト、ユーザベースリスト、または企業ベースリスト、あるいはそれらの組み合わせとして提供され得る例示的なデータベース構造７００を図示する。一実施形態において、データベース構造７００は、一つ以上の無線アクセス技術における好ましいネットワークとして考えられるべき複数のネットワークＩＤを特定する、オペレータ規定のネットワークリストとして構成され、そこで、ネットワークＩＤは、オペレータによって配置される。別の実施形態において、データベース構造７００は、例えば、無線ＵＥ装置を使用して、ユーザ毎に一つのリストを伴った、一つ以上のユーザネットワークリストとして構成され得る。それぞれのそのようなリストは、その装置に対してそれら自体を識別した後に、ユーザによってアクセスされ得、そこで、そのリスト（つまり、ネットワークＩＤ）のコンテンツは個々のユーザによって配置される。さらに別の実施形態において、データベース構造７００は、その従業員−ユーザの利益のために、無線装置を所有する企業によって好まれるネットワークＩＤのリストとして構成され得る。
【００５１】
特定の構成に関わらず、データベース構造７００は、ＥＤＧＥ技術７０２Ａ、ＷＬＡＮ技術７０２Ｂ、およびＵＭＴＳ技術７０２Ｃなどの複数の無線アクセス技術を規定し、多数のＲＡＮ  ＩＤが、それぞれの技術に提供される。図７において例示されるように、カラム７０４Ａは、ＥＤＧＥ技術の多数のＲＡＮ  ＩＤを識別し、それぞれのＲＡＮは、対応するカラム７０６Ａにおいて識別された一つ以上のコアネットワークをサポートする。同様に、カラム７０４Ｂ／７０６Ｂおよびカラム７０４Ｃ／７０６Ｃは、個々に、ＷＬＡＮおよびＵＭＴＳに提供される。当業者が理解し得るように、様々なＩＤは、サービスセットＩＤ（ＳＳＩＤ）（ＷＬＡＮのための）、ＳＩＤ（ＩＳ−９５およびＩＳ−１３６のための）、または［ＭＣＣ，ＭＮＣ］の組み合わせ（ＧＳＭのための）であり得る。
【００５２】
上で説明されたネットワーク優先リストと同様に、使用を禁止される一つ以上のネットワークを識別する類似したデータベース構造が提供され得る。禁止されたネットワークのそのようなリストは、例えば、オペレータ・バー（ｏｐｅｒａｔｏｒ−ｂａｒｒｅｄ）のＲＡＮリスト（つまり、一人のオペレータによって特定される）、企業・バー（ｅｎｔｅｒｐｒｉｓｅ−ｂａｒｒｅｄ）のＲＡＮリスト（つまり、一つの企業によって特定される）、オペレータ・バー（ｏｐｅｒａｔｏｒ−ｂａｒｒｅｄ）のＣＮリスト（つまり、一人のオペレータによって特定される）、企業・バー（ｅｎｔｅｒｐｒｉｓｅ−ｂａｒｒｅｄ）のＣＮリスト（つまり、一つの企業によって特定される）として構成され得る。
【００５３】
ネットワークの優先および禁止を識別するデータベース構造の一つ以上の実施形態および構成に付け加えて、一つ以上のホームネットワークリスト（同等のホームネットワークを含む）は、ＲＢ２１８（図２に示される）などのネットワーク要素とともに、ネットワーク選択を容易にするために提供され得る。よく知られるように、広域携帯電話ＰＬＭＮのそれぞれは、多数のセルとして配置され得、それぞれのセルはセクター（例えば、通常は、基地局（ＢＳ）毎またはセル毎に、三つの１２０度のセクター）を有する。それぞれ個々のセルは、それらを識別するためのＣＧＩパラメータを用いて提供される。セルの一群は、通常、位置領域（ＬＡ）として指定され、ＬＡ識別子（ＬＡＩ）によって識別され得る。マクロレベルにおいて、ＰＬＭＮは、基底の携帯電話技術に従い、識別され得る。例えば、前に示されたように、ＧＳＭベースのＰＬＭＮは、ＭＣＣおよびＭＮＣの組み合わせからなる識別子によって識別され得る。ＣＤＭＡ／ＴＤＭＡベースのＰＬＭＮは、ＳＩＤパラメータおよび／またはネットワーク識別（ＮＩＤ）パラメータによって識別され得る。携帯電話インフラストラクチャに関わらず、全てのセルは、マクロレベルのＰＬＭＮ識別子をブロードキャストし、サービスを得たい無線装置（例えばＵＥ装置１０２）は、無線ネットワークを識別することができる。
【００５４】
付け加えて、加入者はまた、独自の識別子が与えられ、独自の識別子は、基底の携帯電話インフラストラクチャに依存して変化し得、ネットワーク識別子を構成することにおいて使用される一部のパラメータから、少なくとも部分的に、構成され得る。ＧＳＭにおいて、例えば、加入者のＩＭＳＩのパラメータは、［ＭＣＣ］［ＭＮＣ］［ＭＩＮ］として構成される。
【００５５】
例示のために、本特許出願開示のホームネットワーク識別子の実施形態が、ＧＳＭネットワークを参照して特に例示されるが、ここで説明される教示は、他の携帯電話ネットワークにおいて、必要な変更を加えて、適用され得ることは理解されたい。図８Ａおよび図８Ｂは、例示的なデータベース構造を図示し、データベース構造は、一実施形態に従った、ＲＢ要素に関連するネットワーク選択を容易にするＵＥ装置とともに提供され得る。参照番号８００Ａは、同様のネットワークとして識別され得る、［ＭＣＣ］８０２Ａおよび［ＭＮＣ］８０２Ｂの組み合わせのリストを含むベーシックなデータベース構造である。同等のネットワークの場合において、［ＭＣＣ］［ＭＮＣ］の組み合わせは、加入者に関連するＩＭＳＩのためのＥＨＰＬＭＮのセットを識別し得る。参照番号８０４および８０６および８０８は三つの例示的なネットワークであり、ネットワーク８０４および８０８は同じ［ＭＣＣ］を共有する、つまり［ＡＢＣ］、ならびにネットワーク８０４および８０８は同じ［ＭＮＣ］（つまり、［ＸＹＺ］）を共有する。一つの例示的な実施形態において、データ構造８００Ａは、装置のＳＩＭ／ＲＵＩＭカードに格納され得る。別の実施形態において、データ構造８００Ａは、無線ＵＥ装置に統合される固定メモリモジュールにおいて格納され得る。
【００５６】
参照番号８００Ｂは、強化型データベース構造であり、追加的な情報が、ネットワーク選択を容易にするために提供され得る。マスター［ＭＣＣ］［ＭＮＣ］カラム８２０は、ＩＭＳＩの［ＭＣＣ］／［ＭＮＣ］部分（つまり、マスターホームＰＬＭＮ）と合致する、［ＭＣＣ］および「ＭＮＣ］の組み合わせを識別する。ネットワークネームカラム８２２は名前によってマスターネットワークを識別する。ホームネットワーク（ＥＨＰＬＭＮ）カラム８２４は、それぞれのマスター［ＭＣＣ］［ＭＮＣ］の対のホームネットワークのリストを含む。一実施において、ホームネットワークを識別する［ＭＣＣ］［ＭＮＣ］の組み合わせは、優先順位において提供され得る。例えば、位置的な優先が実施され得、そこでは、上部の［ＭＣＣ］［ＭＮＣ］の組み合わせは、それより下のものよりもより高い優先順位を有し、または、左の［ＭＣＣ］［ＭＮＣ］の組み合わせは、それより右のものよりもより高い優先順位を有する。明示的な優先順位ランク付けはまた提供され得、ＰＬＭＮの優先順位を示すインジケータは、データベース構造８００Ｂに付加される。例えば、［０］の値は、最も高い優先順位を示し得る。優先順位のインジケータが格納されていない場合、全てのＰＬＭＮは等しい優先順位を有する。特徴カラム８２５は、ホームネットワークリスト８２４においてリストされたそれぞれのＰＬＭＮを独自に識別するために提供され、そこで、その特徴は、マスター［ＭＣＣ］［ＭＮＣ］の対に対する一部の参照を含み得る独自の識別名、または、それに関連するネットワーク名を含み得る。前に示されたように、データ構造８００Ｂは、着脱可能なカードの一部として、または、無線ＵＥ装置に統合される格納モジュール内に、提供され得る。
【００５７】
一実施において、無線ＵＥ装置は、電源投入後に、それに挿入される、ＳＩＭ／ＲＵＩＭカードの性能を決定するように動作可能である。ＳＩＭ／ＲＵＩＭカードがＥＨＰＬＭＮのリストを含むことを、無線装置が発見した場合、その装置は、その後のネットワーク選択動作のリストを使用する。ＳＩＭ／ＲＵＩＭカードが、ＰＬＭＮのリストを含まない場合、無線装置は、加入者のＩＭＳＩを読み出すように動作可能である。その後、無線装置が、ＩＭＳＩの、［ＭＣＣ］［ＭＮＣ］の対のメモリにおける格納されたホームネットワークリストとともに提供される場合、格納されたＰＬＭＮデータベースは、次いで、特定のＩＭＳＩに関連するＨＰＬＭＮのリストを見出すために使用され得る。さもなければ、無線ＵＥ装置は、ネットワークスキャンを実行し、現在特定された手順を発見するように動作可能である。
【００５８】
無線部分において使用され得る多数のリストが存在することを考えると、適切な情報またはロジックは、様々な無線アクセス技術、優先、および禁止の中での優先順位を解決するために、無線ＵＥ装置の一部として提供され得る。無線装置が、多数のモード（つまり、異なる技術）において動作可能である場合、特定のモードは、その第１の動作モード（最も高い優先順位）として指定され得る。第２および第３の動作モードは、従って、より低い優先順位であり得る。再び、動作モードは、オペレータ規定の基準、加入者規定の基準、または企業規定の基準に基づいて、ダイナミックに構成または再構成され得ると考えられる。動作モードを制御することにおいて使用される一部の例示的なパラメータは、装置位置情報（例えば、ＧＰＳ情報）、ＳＳＩＤ、ＳＩＤ、［ＭＣＣ，ＭＮＣ］の組み合わせ、セルＩＤなどであり得る。付け加えて、所定の優先規準は、オペレータ、企業、または加入者（つまり、ハードセット（ｈａｒｄ  ｓｅｔ）に）に提供され得る。一実施において、これらのパラメータの相互作用は、特定の技術が、第１、第２、または第３の動作モードのいずれかである場合に、規定する。それぞれの規定されたパラメータは、それに関連するフラグを用いて準備され、その規定された状態が、動作モードを設定するために生じるかどうかを示す。例えば、無線ＵＥ装置が、初期スキャンを実行した後、特定のセルＩＤを発見したことを想定する。その加入者は、ホームＳＳＩＤがこのセルにて発見された場合に、ＷＬＡＮが第１の動作モードとして設定される状態を規定すると想定される。従って、装置の第１のモードは、ホームＳＳＩＤが見出された場合、および、第２のモードがＧＳＭに設定され得た場合、この特定のセルにおけるＷＬＡＮが設定される。
【００５９】
様々な好ましい、およびバー（ｂａｒｒｅｄ）ネットワークリスト（装置中心、ネットワーク中心、または加入者中心であり得る）の用意に付け加えて、それぞれの国は、どのリストが優先すべきかに関する、それ自体の規制要求を有し得る。例えば、企業は、その企業組織の近郊にて動作する、公共のＷＬＡＮアクセスポイントへのアクセスを禁止し得る。さらに、所定の装置ロジックは、スキャン的な行為を特定する必要があり得、というのは、装置がスキャンすることができる、技術ベース毎に、多数の帯域が存在し得るからである。リストの優先順位付けおよびスキャン手順に関する追加的な詳細は、これ（代理人整理番号第１４００−１０３６ＵＳ）において、同日の日付にて出願され、上に関連参照された、共有される同時係属の米国特許出願、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ  （ＮＡＢ）」において見出され得る。
【００６０】
図９は、本特許出願開示の教示に従い、ＲＢノード（例えば、図２におけるＲＢ２１８）の一部として提供される例示的なデータベース構造９００を図示する。参照番号９０２は、無線ＵＥ装置および／または加入者のために規定された、一つ以上のホームネットワーク（同等のホームネットワークを含む）対する直接のビジター関係（ｖｉｓｉｔｏｒ  ｒｅｌａｔｉｏｎｓｈｉｐ）を有するネットワークのカラムである。つまり、カラム９０２において識別されたネットワークは、ビジテッド（ｖｉｓｉｔｅｄ）ネットワークであり、ホームネットワークにローミングサービスを提供する。図示されるように、これらのビジテッドネットワークは、アクセスネットワーク（例えば、［ＭＣＣｂ．ＭＡＮＣｃ］および［ＭＣＣｄ．ＭＡＮＣａ］として識別されるアクセスネットワーク）、および、ＣＮおよびＳＮを含み得るネットワークの組み合わせを含み得る。カラム９０４は、カラム９０２において識別されたビジテッドコアネットワークに関連を有するアクセスネットワークを識別する。カラム９０６は、識別された無線／コアネットワークの組み合わせが動作中であることを知らされているかどうかを示すことに関連する状態情報を提供する。例えば、「オン」または「オフ」などのサービス状態フラグは、特定のネットワークの組み合わせ（例えば、ＲＡＮ／ＣＮの組み合わせ）がサービス中であるかないかを示すために提供され得る。付け加えて、ＲＢデータベース構造のカラム９０８は、カラム９０２において識別されるビジテッドネットワークにおいてサポートされるサービスおよび性能を提供する。
【００６１】
以前に説明されたように、様々なネットワークの優先および禁止された（ｂａｒｒｅｄ）リスト（図７に示されるデータ構造７００として実施され得る）は、ネットワーク選択を実施する本開示の教示に従い、装置およびネットワークノードの両方において準備され得る。無線ＵＥ装置におけるそのようなリストを準備することは、初期の発見および特定のネットワークの組み合わせ（つまり、ＲＡＮ／ＣＮの組み合わせ）を容易にし、そこで、その装置は、追加的な情報のための一つ以上のネットワーク選択リストを含むＲＢノードなどの、ネットワーク要素をクエリし得る。図１０は、一実施形態に従い、ＲＢノードとインタラクトするための、例示的なメッセージフロー図を図示する。ネットワーク広告情報を得た後（個々のＲＡＮのブロードキャスト制御チャンネルを監視することによってか、またはビーコンチャンネルを介してか、あるいは、ＮＡＢ２１４とコンタクトすることによってかのいずれか）、ＵＥ１０２は、前もって構成された選択ロジックに従い、特定のネットワークの組み合わせを選択するように動作可能である（ブロック１００２）。その後、ＦＱＤＮクエリ１００４は、応答１００６を介して、ＲＢ２１８のＩＰアドレスを得るために、ＤＮＳ５０２に転送され得る。あるいは、以前のキャッシュされたＩＰアドレスは、ＲＢ２１８とコンタクトするために得られ得る。追加的にまたは代替的に、以前に記載されたＵＥ−ＮＡＢの相互作用スキームに類似した適切なＡＡＡベースの認証メカニズムが存在し得る。ＩＰアドレスが得られる方法に関わらず、ＵＥ１０２は、登録メッセージ１００８を用いてＲＢ２１８に登録し、登録メッセージ１００８は、ＲＢ２１８にアクセスするために使用される特定のＲＡＮ／ＣＮの識別情報、ＮＡＢ２１４から得られるネットワーク広告情報、ＵＥ１０２によって発見されたそれぞれのネットワークの組み合わせの識別情報および性能情報、ＵＥ１０２の位置（例えば、ＧＰＳ座標）、利用可能なＷＬＡＮアクセスポイントまたはホットスポット（ｈｏｔ  ｓｐｏｔ）のＭＡＣアドレス、ＭＡＣアドレスおよびＵＥ１０２の性能、ならびに、ＵＥ１０２が使用したいサービスなどの様々な情報を送信することを含む。ＵＥ１０２から受信された情報に応答して、ＲＢ２１８において提供された適切なサービスロジック１０１０は、ブロック１００２において、ＵＥ１０２によって初期に選択された特定のネットワークの組み合わせが最適なネットワークであるかどうかを決定する。リダイレクトメッセージ１０１２が、ＵＥ１０２に対して、ＲＢ２１８によって生成され得、決定された場合、より適切なネットワークの組み合わせの識別情報を含む。リダイレクトメッセージ１０１２は、装置に、アクセスネットワーク、コアネットワークなどを変えることを命令し得る。付け加えて、様々な性能情報および追加的なネットワークＩＤ情報は、後に装置が使用を望むＲＢ２１８によって送信され得る。ＲＢはまた、無線装置がサポートするそれぞれの技術のために、異なるバックグラウンドのスキャンタイマーに信号を送信し得る。これらのアクションはメッセージ１０１４および１０１６を個々に送信する方法にて、図１０において例示される。
【００６２】
ここで図１１を参照すると、上記された方法に関連するフローチャートが示される。ブロック１１０２において、特定のＲＡＮ／ＣＮネットワークの組み合わせの識別情報が、無線ＵＥ装置によって得られる。その後、適用可能なＲＢノードのＩＰアドレスが得られる（ブロック１１０４）。ＩＰアドレスを使用してＲＢノードに登録した後、ネットワークの発見および広告情報は、ＲＢノードに送信される（ブロック１１０６）。前述において指摘されたように、様々な追加的な情報がまた送信され得る。追加的なネットワークまたはネットワークの組み合わせが無線装置により適切であるかどうかの決定が、ＲＢノードにおいてなされる。その決定に応答して、追加的なネットワークＩＤ情報および／またはネットワーク性能およびサービス情報を含むリダイレクトメッセージは、無線装置に戻される（ブロック１１０８）。一実施形態において、ＲＢノードによって提供される情報は、無線装置の地理的位置に基づいてカスタマイズされ得る。受信された情報に応答して、無線デバイスは、サービスを得るために、追加的なＲＡＮ／ＣＮまたは以前のネットワークの組み合わせを選択するために、適切なロジックを用いる（ブロック１１１０）。
【００６３】
図１２は、本特許出願開示の教示に従い、ネットワーク広告情報を獲得し、ネットワーク選択を実行するように動作可能である、無線装置１２００の一実施形態のブロック図を図示する。この点に関して当業者は、ＵＥ１０２の一実施形態が図１２に示されたものと類似した配列（ａｒｒａｎｇｅｍｅｎｔ）を含み得るが、記載された様々なモジュールに関して、ハードウェア、ソフトウェア、またはファームウェアにおける多数の変更および修正が存在し得ることは理解されたい。従って、図１２の配列は、本特許出願開示の実施形態に関して、限定するのではなく、例示のためとして考えられるべきである。ＵＥ１２００全体の制御を提供するマイクロプロセッサ１２０２は、通信サブシステム１２０４と動作するように結合され、通信サブシステム１２０４は、複数の帯域を介して、マルチモード通信を実施する、送信器／受信器（送受信器）機能を含む。例えば、広域無線Ｔｘ／Ｒｘモジュール１２０６および無線ＡＮ  Ｔｘ／Ｒｘモジュール１２０８が例示される。特に図示されてはいないが、それぞれのＴｘ／Ｒｘモジュールは、一つ以上のローカル発振器（ＬＯ）モジュール、ＲＦスイッチ、ＲＦ帯域通過フィルタ、Ａ／ＤおよびＤ／Ａコンバータ、デジタル信号プロセッサ（ＤＳＰ）などの処理モジュール、ローカルメモリなどの、他の関連する構成要素を含み得る。通信領域における当業者に明らかであるように、通信サブシステム１２０４の特定の設計は、ＵＥ装置が動作することが意図されているネットワーク通信に依存し得る。一実施形態において、通信サブシステム１２０４は、音声およびデータ通信両方を用いて動作可能である。
【００６４】
マイクロプロセッサ１２０２はまた、補助入力／出力（Ｉ／Ｏ）１２１８、シリアルポート１２２０、ディスプレイ１２２２、キーボード１２２４、スピーカ１２２６、マイクロフォン１２２８、ランダムアクセスメモリ（ＲＡＭ）１２３０、短距離通信サブシステム１２３２、および、参照番号１２３３として包括的にラベルされる任意の他の装置サブシステムなどの、さらなる装置サブシステムを相互接続する。アクセスを制御するために、ＳＩＭ／ＲＵＩＭインターフェース１２３４がまた、マイクロプロセッサ１２０２と通信して提供される。一実施形態において、ＳＩＭ／ＲＵＩＭインターフェース１２３４は、識別および加入者関連データ、ならびに、一つ以上のＳＳＩＤ／ＰＬＭＮリストおよび、上で詳細に記載されたフィルタなどに関連する、多数のキー構成１２４４および他の情報１２４６を有するＳＩＭ／ＲＵＩＭカードを用いて動作可能である。
【００６５】
オペレーティングシステムソフトウェアおよび他の制御ソフトウェアは、フラッシュメモリ１２３５などの、持続性記憶装置モジュール（不揮発性記憶装置）において実施され得る。一実施において、フラッシュメモリ１２３５は、異なる領域、例えば、コンピュータプログラム１２３６のための領域、および、装置状態１２３７などのデータ格納領域、アドレスブック１２３９、他の個人情報管理（ＰＩＭ）データ１２４１、および参照番号１２４３として一般にラベルされる他のデータ格納領域などの、異なる領域に分離され得る。付け加えて、適切なネットワーク発見／選択ロジック１２４０は、様々な手順、ＮＡＢ情報獲得技術、および、先行するセクションにおいて説明されるネットワーク選択メカニズムを実行する持続性記憶装置の一部として提供され得る。適切なＤＮＳクエリ、認証、およびＮＡＢ／ＲＢクエリを実施するためのロジックはまた、ロジックモジュール１２４５として例示される。それに関連するのは、ＳＳＩＤ／ＰＬＭＮリスト、選択／スキャンフィルタ、性能インジケータなどを格納する格納モジュール１２３８であり、上にて詳細に記載された。
【００６６】
ここで説明された教示を検討して、ＵＥ装置１２００の様々なロジックブロックが、地理的位置において利用可能である特定のネットワークの組み合わせの識別情報を得るように動作可能であるロジックモジュールと、その登録後、それとともに、ネットワーク環境において配置されたＲＢノードに、ネットワーク広告情報を送信するように動作可能であるロジックモジュールと、リダイレクトメッセージを介して、ＲＢによって提供される、特定のネットワークの組み合わせおよび追加的なネットワークまたはネットワークの組み合わせのうちの一つを選択するように動作可能であるロジックモジュールと、を少なくとも備え、そのＲＢは、追加的なネットワークまたはネットワークの組み合わせが無線ＵＥ装置１２００に対してより適切であるかどうかを決定するためのサービスロジックを含み、そのリダイレクトメッセージが追加的なネットワーク／組み合わせの識別情報を含んでいるものとして理解されるべきである。
【００６７】
本特許出願の実施形態の動作および構成は、上記で説明された詳細な説明から明らかである。図示され詳述された例示的な実施形態は好もしいものとして特徴付けられる一方で、様々な変更および修正が、本請求項において説明される本発明の範囲から逸脱することなく、そこにおいてなされ得ることは容易に理解されるべきである。
【図面の簡単な説明】
【００６８】
【図１】本特許出願開示の実施形態が実施され得る、一般的なネットワーク環境を示す。
【図２】ネットワーク環境の例示的な実施形態を図示し、そこでは、無線ユーザ装備（ＵＥ）装置は、本特許出願開示の教示に従う、ネットワーク広告情報を獲得するために動作可能なように配置される。
【図３】本特許出願開示の教示に従う、ネットワーク広告ブローカ（ＮＡＢ）の一部として提供される例示的なデータベース構造を示す。
【図４】一実施形態に従った、ネットワーク広告情報を獲得するための本特許出願開示の例示的なメッセージフロー図を示す。
【図５】別の実施形態に従った、ネットワーク広告情報を獲得するための本特許出願開示の例示的なメッセージフロー図を示す。
【図６】本特許出願開示の一方法に関連するフローチャートである。
【図７】本特許出願開示の教示に従い、ネットワーク選択の優先および禁止を構成可能なように設定するための、動作ベースリスト、ユーザベースリスト、または企業ベースリストとして提供され得る例示的なデータベースを示す。
【図８】図８Ａおよび図８Ｂは、無線ＵＥ装置によってネットワーク選択を容易にする例示的なデータベース構造を示す。
【図９】本特許出願開示の教示に従う、ローミングブローカ（ＲＢ）ノードの一部として提供される例示的なデータベース構造を示す。
【図１０】一実施形態に従った、ＲＢノードとインタラクトする本特許出願開示の例示的なメッセージフロー図を示す。
【図１１】本特許出願開示の別の方法に関連するフローチャートである。
【図１２】本特許出願開示の教示に従い、ネットワーク広告情報を獲得し、およびネットワーク選択を実行するように動作可能である、無線ＵＥ装置の一実施形態のブロック図を示す。
【符号の説明】
【００６９】
１０２  ユーザ装備（ＵＥ）装置
２００  ネットワーク環境
２０２  ＲＡＮセグメント
２０４  ＣＮセグメント
２０６  ＳＮセグメント
２０８−１〜２０８−３  無線アクセスネットワーク（ＲＡＮ）
２１０−１〜２１０−３  無線コアネットワーク（ＣＮ）
２１２−１〜２１２−３  無線サービスネットワーク（ＳＮ）
２１４  ネットワーク広告ブローカ（ＮＡＢ）
２１６  パブリックパケット交換インターネットプロトコル（ＩＰ）ネットワーク
２１８  ローミングブローカ（ＲＢ）
２２０  パブリックパケット交換インターネットプロトコル（ＩＰ）ネットワーク
４０６−１〜４０６−Ｎ  ロードキャスト制御チャンネルメッセージ
１０１２  リダイレクトメッセージ
１２４０  ロジックモジュール
１２４５  ロジックモジュール
【図１】
2006311558.tif 000003
【図２】
2006311558.tif 000004
【図３】
2006311558.tif 000005
【図４】
2006311558.tif 000006
【図５】
2006311558.tif 000007
【図６】
2006311558.tif 000008
【図７】
2006311558.tif 000009
【図８】
2006311558.tif 000010
【図９】
2006311558.tif 000011
【図１０】
2006311558.tif 000012
【図１１】
2006311558.tif 000013
【図１２】
2006311558.tif 000014